(57)【要約】  本発明は無線通信装置に関し、配下の無線通信装置との間で通信を行う無線通信装置であって、配下の無線通信装置からの信号のフィードバックに使用されるチャネルのチャネル品質を推定し、推定したチャネル品質に基づいて、配下の無線通信装置でチャネル情報を量子化する際に使われる量子化ビット数を動的に調節して配下の無線通信装置に通知する制御部を備え、制御部は、推定したチャネル品質が高くなれば量子化ビット数を大きくするように調節する。
2015198810.tif 000002
【特許請求の範囲】
【請求項１】
配下の無線通信装置との間で通信を行う無線通信装置であって、
前記配下の無線通信装置からの信号のフィードバックに使用されるチャネルのチャネル品質を推定し、推定したチャネル品質に基づいて、前記配下の無線通信装置でチャネル情報を量子化する際に使われる量子化ビット数を動的に調節して前記配下の無線通信装置に通知する制御部を備え、
前記制御部は、
推定したチャネル品質が高くなれば前記量子化ビット数を大きくするように調節する、無線通信装置。
【請求項２】
前記制御部は、
前記量子化ビット数の動的な調節に合わせて、前記配下の無線通信装置で量子化後のチャネル情報を送信する際の変調方式およびコーディングレートを動的に調節する、請求項１記載の無線通信装置。
【請求項３】
前記制御部は、
チャネル品質の数値範囲を段階的に設定し、該数値範囲ごとに前記量子化ビット数を対応付け、
推定したチャネル品質が、いずれかの数値範囲内にある場合には、その数値範囲に対応付けられた前記量子化ビット数を、推定したチャネル品質に対応する量子化ビット数として決定し、決定した量子化ビット数の情報を前記配下の無線通信装置に通知する、請求項１記載の無線通信装置。
【請求項４】
前記制御部は、
チャネル品質の数値範囲を段階的に設定し、該数値範囲ごとに前記変調方式および前記コーディングレートを対応付け、
推定したチャネル品質が、いずれかの数値範囲内にある場合には、その数値範囲に対応付けられた前記変調方式および前記コーディングレートを、推定したチャネル品質に対応する変調方式およびコーディングレートとして決定し、決定した変調方式およびコーディングレートの情報を前記配下の無線通信装置に通知する、請求項２記載の無線通信装置。
【請求項５】
前記制御部は、
チャネル品質の数値範囲を段階的に設定し、該数値範囲ごとに前記量子化ビット数、前記変調方式および前記コーディングレートを対応付けると共に、チャネル品質の数値範囲ごとにインデックスを割り付け、
推定したチャネル品質が、いずれかの数値範囲内にある場合には、その数値範囲に対応付けられた前記量子化ビット数、前記変調方式および前記コーディングレートを、推定したチャネル品質に対応する量子化ビット数、変調方式およびコーディングレートとして決定し、割り付けられたインデックスの情報を前記配下の無線通信装置に通知する、請求項２記載の無線通信装置。
【請求項６】
前記制御部は、
動的に調節した前記量子化ビット数を前記配下の無線通信装置に通知した後、
一定の期間内に前記配下の無線通信装置からの肯定応答信号を受信しない場合は、再び同じ量子化ビット数を前記配下の無線通信装置に通知する動作を繰り返し、繰り返しの回数が、予め定めた回数を超えた場合は、動的に調節した前記量子化ビット数を前記配下の無線通信装置に通知する動作を中止する、請求項１記載の無線通信装置。
【請求項７】
前記制御部は、
前記チャネル品質の推定間隔を前記チャネル品質の変化の速さに従って動的に調整する請求項１記載の無線通信装置。
【請求項８】
無線通信装置と、
前記無線通信装置の配下の無線通信装置と、を備えた無線通信システムであって、
前記無線通信装置は、
前記配下の無線通信装置からの信号のフィードバックに使用されるチャネルのチャネル品質を推定し、推定したチャネル品質に基づいて、前記配下の無線通信装置でチャネル情報を量子化する際に使われる量子化ビット数を動的に調節して前記配下の無線通信装置に通知する制御部を備え、
前記制御部は、
推定したチャネル品質が高くなれば前記量子化ビット数を大きくするように調節する、無線通信システム。
【請求項９】
前記配下の無線通信装置は、
前記無線通信装置から前記量子化ビット数の情報が与えられない場合は、
前回与えられた量子化ビット数の情報またはデフォルトで定めた量子化ビット数の情報を用いてチャネル情報を量子化する、請求項８記載の無線通信システム。
【請求項１０】
前記制御部は、
前記量子化ビット数の動的な調節に合わせて、前記配下の無線通信装置で量子化後のチャネル情報を送信する際の変調方式およびコーディングレートを動的に調節して前記配下の無線通信装置に通知し、
前記配下の無線通信装置は、
前記無線通信装置から前記変調方式および前記コーディングレートの情報が与えられない場合は、
前回与えられた変調方式およびコーディングレートの情報またはデフォルトで定めた変調方式およびコーディングレートの情報を用いて前記量子化後のチャネル情報を送信する、請求項９記載の無線通信システム。
【請求項１１】
配下の無線通信装置との間で通信を行う無線通信装置での通信制御方法であって、
（ａ）前記配下の無線通信装置からの信号のフィードバックに使用されるチャネルのチャネル品質を推定するステップと、
（ｂ）推定した前記チャネル品質に基づいて、前記配下の無線通信装置でチャネル情報を量子化する際に使われる量子化ビット数を動的に調節するステップと、を備え、
前記ステップ（ｂ）は、
推定したチャネル品質が高くなれば前記量子化ビット数を大きくするように調節するステップを含む、通信制御方法。
【発明の詳細な説明】
【技術分野】
【０００１】
本発明は無線通信装置に関し、特に、デジタル伝送方式でチャネル情報を基地局にフィードバックする無線通信装置に関する。
【背景技術】
【０００２】
近年、無線通信においてはデジタル伝送方式が主流になっている。デジタル伝送方式を採用する無線通信装置は、アナログの送信対象データに対して、アナログ値から送信信号を生成する場合に、量子化、二進符号化、およびシンボルマッピングの各信号処理を行う。このような処理については非特許文献１に開示がある。【０００３】
ここで量子化とは、連続量であるアナログ値を整数等の離散値に近似的に置換する処理である。二進符号化とは、量子化により得られた離散値を二進数（すなわち、ビット列）に変換する処理である。シンボルマッピングとは、二進符号化により得られたビット列を送信シンボルに変換（すなわち、デジタル変調）する処理である。【０００４】
上述したデジタル伝送方式は、誤り訂正符号等が適用できるので、伝送チャネルの雑音や干渉に対する耐性が高いものの、送信対象データの分解能を上げるためには送信ビット長を長くする必要があるため、チャネル容量が逼迫するという問題がある。逆に、チャネル容量を遠慮して、短いビット長に設定すると、チャネル品質が良くなってチャネル容量が十分ある場合にも、チャネル容量を十分に利用できず、分解能を低下させるという問題がある。
【先行技術文献】
【非特許文献】
【０００５】
【非特許文献１】３ＧＰＰ技術仕様「ＴＳ３６．２１１  Ｖ１１．１．０」２０１２年１２月
【発明の概要】
【発明が解決しようとする課題】
【０００６】
上述したデジタル伝送方式では、ユーザ端末で測定したチャネル情報（ＣＳＩ）を基地局にフィードバックするが、その際には、予め定めた固定のビット数でＣＳＩを量子化するので、量子化誤差も固定され、ＣＳＩの精度が一定に維持されるという利点がある。しかし、チャネル状況が良い場合にもＣＳＩの精度が変わらないので、伝送性能の向上が期待できないという問題がある。【０００７】
本発明は上記のような問題を解決するためになされたものであり、デジタル伝送方式でチャネル情報を基地局にフィードバックする場合であっても、チャネル状況に応じて伝送性能を向上できる無線通信装置を提供する。
【課題を解決するための手段】
【０００８】
本発明に係る無線通信装置の一態様は、配下の無線通信装置との間で通信を行う無線通信装置であって、前記配下の無線通信装置からの信号のフィードバックに使用されるチャネルのチャネル品質を推定し、推定したチャネル品質に基づいて、前記配下の無線通信装置でチャネル情報を量子化する際に使われる量子化ビット数を動的に調節して前記配下の無線通信装置に通知する制御部を備え、前記制御部は、推定したチャネル品質が高くなれば前記量子化ビット数を大きくするように調節する。【０００９】
本発明に係る無線通信装置の一態様は、前記制御部が、前記量子化ビット数の動的な調節に合わせて、前記配下の無線通信装置で量子化後のチャネル情報を送信する際の変調方式およびコーディングレートを動的に調節する。【００１０】
本発明に係る無線通信装置の一態様は、前記制御部が、チャネル品質の数値範囲を段階的に設定し、該数値範囲ごとに前記量子化ビット数を対応付け、推定したチャネル品質が、いずれかの数値範囲内にある場合には、その数値範囲に対応付けられた前記量子化ビット数を、推定したチャネル品質に対応する量子化ビット数として決定し、決定した量子化ビット数の情報を前記配下の無線通信装置に通知する。【００１１】
本発明に係る無線通信装置の一態様は、前記制御部が、チャネル品質の数値範囲を段階的に設定し、該数値範囲ごとに前記変調方式およびコーディングレートを対応付け、推定したチャネル品質が、いずれかの数値範囲内にある場合には、その数値範囲に対応付けられた前記変調方式および前記コーディングレートを、推定したチャネル品質に対応する変調方式およびコーディングレートとして決定し、決定した変調方式およびコーディングレートの情報を前記配下の無線通信装置に通知する。【００１２】
本発明に係る無線通信装置の一態様は、前記制御部が、チャネル品質の数値範囲を段階的に設定し、該数値範囲ごとに前記量子化ビット数、前記変調方式および前記コーディングレートを対応付けると共に、チャネル品質の数値範囲ごとにインデックスを割り付け、推定したチャネル品質が、いずれかの数値範囲内にある場合には、その数値範囲に対応付けられた前記量子化ビット数、前記変調方式および前記コーディングレートを、推定したチャネル品質に対応する量子化ビット数、変調方式およびコーディングレートとして決定し、割り付けられたインデックスの情報を前記配下の無線通信装置に通知する。【００１３】
本発明に係る無線通信装置の一態様は、前記制御部が、動的に調節した前記量子化ビット数を前記配下の無線通信装置に通知した後、一定の期間内に前記配下の無線通信装置からの肯定応答信号を受信しない場合は、再び同じ量子化ビット数を前記配下の無線通信装置に通知する動作を繰り返し、繰り返しの回数が、予め定めた回数を超えた場合は、動的に調節した前記量子化ビット数を前記配下の無線通信装置に通知する動作を中止する。【００１４】
本発明に係る無線通信装置の一態様は、前記制御部が、前記チャネル品質の推定間隔を前記チャネル品質の変化の速さに従って動的に調整する。【００１５】
本発明に係る無線通信システムの一態様は、無線通信装置と、前記無線通信装置の配下の無線通信装置と、を備えた無線通信システムであって、前記無線通信装置は、前記配下の無線通信装置からの信号のフィードバックに使用されるチャネルのチャネル品質を推定し、推定したチャネル品質に基づいて、前記配下の無線通信装置でチャネル情報を量子化する際に使われる量子化ビット数を動的に調節して前記配下の無線通信装置に通知する制御部を備え、前記制御部は、推定したチャネル品質が高くなれば前記量子化ビット数を大きくするように調節する。【００１６】
本発明に係る無線通信システムの一態様は、前記配下の無線通信装置が、前記無線通信装置から前記量子化ビット数の情報が与えられない場合は、前回与えられた量子化ビット数の情報またはデフォルトで定めた量子化ビット数の情報を用いてチャネル情報を量子化する。【００１７】
本発明に係る無線通信システムの一態様は、前記制御部が、前記量子化ビット数の動的な調節に合わせて、前記配下の無線通信装置で量子化後のチャネル情報を送信する際の変調方式およびコーディングレートを動的に調節して前記配下の無線通信装置に通知し、前記配下の無線通信装置は、前記無線通信装置から前記変調方式および前記コーディングレートの情報が与えられない場合は、前回与えられた変調方式およびコーディングレートの情報またはデフォルトで定めた変調方式およびコーディングレートの情報を用いて前記量子化後のチャネル情報を送信する。【００１８】
本発明に係る通信制御方法の一態様は、配下の無線通信装置との間で通信を行う無線通信装置での通信制御方法であって、前記配下の無線通信装置からの信号のフィードバックに使用されるチャネルのチャネル品質を推定するステップ（ａ）と、推定した前記チャネル品質に基づいて、前記配下の無線通信装置でチャネル情報を量子化する際に使われる量子化ビット数を動的に調節するステップ（ｂ）と、を備え、前記ステップ（ｂ）は、推定したチャネル品質が高くなれば前記量子化ビット数を大きくするように調節するステップを含んでいる。
【発明の効果】
【００１９】
本発明によれば、チャネル状況に応じて伝送性能を向上できる無線通信装置を得ることができる。
【図面の簡単な説明】
【００２０】
【図１】実施の形態に係るＬＴＥシステムの構成図である。
【図２】実施の形態に係るＵＥのブロック図である。
【図３】実施の形態３に係るｅＮＢのブロック図である。
【図４】ＬＴＥシステムにおける無線インターフェイスのプロトコルスタックを示す図である。
【図５】ＬＴＥシステムで使用される無線フレームの構成図である。
【図６】実施の形態におけるチャネル品質の推定値に基づく量子化ビット数およびＭＣＳの動的処理の制御動作を説明するフローチャートである。
【図７】チャネル行列の一例を示す図である。
【図８】チャネル品質と量子化ビット数の対応表を示す図である。
【図９】チャネル品質とＭＣＳとの対応表を示す図である。
【図１０】ジョイントテーブルの一例を示す図である。
【図１１】実施の形態の変形例１を説明するフローチャートである。
【図１２】実施の形態の変形例１を説明するフローチャートである。
【図１３】実施の形態の変形例２を説明するフローチャートである。
【図１４】実施の形態の変形例４を説明するフローチャートである。
【図１５】チャネル推定の間隔を動的に調整する方法を説明するフローチャートである。
【発明を実施するための形態】
【００２１】
＜はじめに＞
発明の実施の形態の説明に先だって、３ＧＰＰ（3rd Generation Partnership Project）で標準化されているＬＴＥ（Long Term Evolution）について説明する。
【００２２】
図１は、ＬＴＥシステムの構成図である。図１に示すように、ＬＴＥシステムは、複数のＵＥ（User Equipment）１００と、Ｅ-ＵＴＲＡＮ（Evolved-UMTS Terrestria1 Radio Access Network）１０と、ＥＰＣ（Evolved Packet Core）２０と、を含んでいる。Ｅ−ＵＴＲＡＮ１０は無線アクセスネットワークに相当し、ＥＰＣ２０はコアネットワークに相当する。Ｅ−ＵＴＲＡＮ１０およびＥＰＣ２０は、ＬＴＥシステムのネットワークを構成する。
【００２３】
ＵＥ１００は、移動型の通信装置であり、接続先のセル（サービングセル）との無線通信を行う。ＵＥ１００はユーザ端末に相当する。
【００２４】
Ｅ−ＵＴＲＡＮ１０は、複数のｅＮＢ２００（evolved Node-B）を含んでいる。ｅＮＢ２００は基地局に相当する。ｅＮＢ２００は、１または複数のセルを管理しており、自らが管理するセルとの接続を確立したＵＥ１００との無線通信を行う。なお、「セル」は、無線通信エリアの最小単位を示す用語として使用される他にＵＥ１００との無線通信を行う機能を示す用語としても使用される。
【００２５】
ｅＮＢ２００は、例えば、無線リソース管理（ＲＲＭ）機能と、ユーザデータのルーティング機能と、モビリティ制御およびスケジューリングのための測定制御機能と、を有している。
【００２６】
ＥＰＣ２０は、複数のＭＭＥ（Mobility Management Entity）／Ｓ−ＧＷ（Serving―Gateway）３００を含んでいる。
【００２７】
ＭＭＥは、ＵＥ１００に対する各種モビリティ制御等を行うネットワークノードであり、制御局に相当する。Ｓ−ＧＷは、ユーザデータの転送制御を行うネットワークノートであり、交換局に相当する。ＭＭＥ／Ｓ−ＧＷ３００により構成されるＥＰＣ２０は、ｅＮＢ２００を収容する。
【００２８】
ｅＮＢ２００は、インターフェイスＸ２を介して相互に接続される。また、ｅＮＢ２００は、インターフェイスＳＩを介してＭＭＥ／Ｓ−ＧＷ３００と接続される。
【００２９】
図２は、ＵＥ１００の構成を示すブロック図である。図２に示すようにＵＥ１００は、複数のアンテナ１０１と、無線送受信機１１０と、ユーザインターフェイス１２０と、ＧＮＳＳ（Global Navigation Satellite System）受信機１３０と、バッテリ１４０と、メモリ１５０と、プロセッサ１６０とを有している。なお、ＵＥ１００は、ＧＮＳＳ受信機１３０を有していなくても良い。また、メモリ１５０をプロセッサ１６０と一体化し、このセット（すなわち、チップセット）をプロセッサ１６０'としても良い。
【００３０】
複数のアンテナ１０１および無線送受信機１１０は、無線信号の送受信に用いられる。無線送受信機１１０は、プロセッサ１６０が出力するベースバンド信号（送信信号）を無線信号に変換して複数のアンテナ１０１から送信する送信部１１１を含んでいる。また、無線送受信機１１０は、複数のアンテナ１０１が受信する無線信号をベースバンド信号（受信信号）に変換してプロセッサ１６０に出力する受信部１１２を含んでいる。
【００３１】
ユーザインターフェイス１２０は、ＵＥ１００を所持するユーザとのインターフェイスであり、例えば、ディスプレイ、マイク、スピーカ、および各種ボタンなどを含んでいる。ユーザインターフェイス１２０は、ユーザからの操作を受け付けて、該操作の内容を示す信号をプロセッサ１６０に出力する。
【００３２】
ＧＮＳＳ受信機１３０は、ＵＥ１００の地理的な位置を示す位置情報を得るために、ＧＮＳＳ信号を受信して、受信した信号をプロセッサ１６０に出力する。バッテリ１４０は、ＵＥ１００の各ブロックに供給すべき電力を蓄える。
【００３３】
メモリ１５０は、プロセッサ１６０によって実行されるプログラムと、プロセッサ１６０による処理に使用される情報と、を記憶する。プロセッサ１６０は、ベースバンド信号の変調・復調および符号化・復号などの信号処理を行う信号処理部１６１と、メモリ１５０に記憶されるプログラムを実行して各種の制御を行う制御部１６２と、を含んでいる。
【００３４】
ここで、後に説明するように、ＵＥ１００が測定したチャネル情報（ＣＳＩ）を、デジタルフィードバックによりｅＮＢ２００に伝送するので、信号処理部１６１にはデジタル伝送処理部を有している。
【００３５】
デジタル伝送処理部は、現行の３ＧＰＰ規格に従ったデジタル伝送方式により送信信号を生成する。
【００３６】
プロセッサ１６０は、さらに、音声・映像信号の符号化・復号を行うコーデックを含んでも良い。プロセッサ１６０は、後述する各種の制御を実行する。
【００３７】
図３は、ｅＮＢ２００の構成を示すブロック図である。図３に示すようにｅＮＢ２００は、複数のアンテナ２０１と、無線送受信機２１０と、ネットワークインターフェイス２２０と、メモリ２３０と、プロセッサ２４０と、を有している。メモリ２３０およびプロセッサ２４０は、基地局側制御部を構成する。
【００３８】
複数のアンテナ２０１および無線送受信機２１０は、無線信号の送受信に用いられる。無線送受信機２１０は、プロセッサ２４０が出力するベースバンド信号（送信信号）を無線信号に変換して複数のアンテナ２０１から送信する送信部２１１を含んでいる。また、無線送受信機２１０は、複数のアンテナ２０１が受信する無線信号をベースバンド信号（受信信号）に変換してプロセッサ２４０に出力する受信部２１２を含んでいる。
【００３９】
ネットワークインターフェイス２２０は、インターフェイスＸ２（図１）を介して隣接するｅＮＢ２００と接続され、インターフェイスＳＩ（図１）を介してＭＭＥ／Ｓ−ＧＷ３００と接続される。ネットワークインターフェイス２２０は、インターフェイスＸ２上で行う通信およびインターフェイスＳＩ上で行う通信に用いられる。
【００４０】
メモリ２３０は、プロセッサ２４０によって実行されるプログラムと、プロセッサ２４０による処理に使用される情報と、を記憶する。プロセッサ２４０は、ベースバンド信号の変調・復調および符号化・復号などの信号処理を行う信号処理部２４１と、メモリ２３０に記憶されるプログラムを実行して各種の制御を行う制御部２４２と、を含んでいる。プロセッサ２４０は、後述する各種の制御を実行する。
【００４１】
図４は、ＬＴＥシステムにおける無線インターフェイスのプロトコルスタックを示す図である。図４に示すように、無線インターフェイスプロトコルは、ＯＳＩ参照モデルのレイヤ１〜レイヤ３に区分されており、レイヤ１は物理（ＰＨＹ）レイヤである。レイヤ２は、ＭＡＣ（Media Access Control）レイヤと、ＲＬＣ（Radio Link Control）レイヤと、ＰＤＣＰ（Packet Data Convergence Protocol）レイヤと、を含んでいる。レイヤ３は、ＲＲＣ（Radio Resource Control）レイヤを含んでいる。
【００４２】
物理レイヤは、符号化・復号、変調・復調、アンテナマッピング・デマッピング、およびリソースマッピング・デマッピングを行う。ＵＥ１００の物理レイヤとｅＮＢ２００の物理レイヤとの間では、物理チャネルを介してデータが伝送される。
【００４３】
ＭＡＣレイヤは、データの優先制御、およびハイブリッドＡＲＱ（ＨＡＲＱ）による再送処理などを行う。ＵＥ１００のＭＡＣレイヤとｅＮＢ２００のＭＡＣレイヤとの間では、トランスポートチャネルを介してデータが伝送される。ｅＮＢ２００のＭＡＣレイヤは、上下リンクのトランスポートフォーマット（トランスポートブロックサイズ、変調・符号化方式（ＭＣＳ））、および割当てリソースブロックを決定するスケジューラを含んでいる。
【００４４】
ＲＬＣレイヤは、ＭＡＣレイヤおよび物理レイヤの機能を利用してデータを受信側のＲＬＣレイヤに伝送する。ＵＥ１００のＲＬＣレイヤとｅＮＢ２００のＲＬＣレイヤとの間では、論理チャネルを介してデータが伝送される。
【００４５】
ＰＤＣＰレイヤは、ヘッダ圧縮・伸張、および暗号化・復号化を行う。
【００４６】
ＲＲＣレイヤは、制御プレーンでのみ定義される。ＵＥ１００のＲＲＣレイヤとｅＮＢ２００のＲＲＣレイヤとの間では、各種設定のための制御メッセージ（ＲＲＣメッセージ）が伝送される。ＲＲＣレイヤは、無線ベアラの確立、再確立および解放に応じて、論理チャネル、トランスポートチャネル、および物理チャネルを制御する。ＵＥ１００のＲＲＣとｅＮＢ２００のＲＲＣとの間にＲＲＣ接続がある場合、ＵＥ１００は接続状態（ＲＲＣ connected state）であり、そうでない場合、ＵＥ１００はアイドル状態（ＲＲＣ idle state）である。
【００４７】
ＲＲＣレイヤの上位に位置するＮＡＳ（Non-Access Stratum）レイヤは、セッション管理およびモビリティ管理などを行う。
【００４８】
図５は、ＬＴＥシステムで使用される無線フレームの構成図である。ＬＴＥシステムは、下りリンクにはＯＦＤＭＡ（Orthogonal Frequency Division Multiplexing Access）、上りリンクにはＳＣ−ＦＤＭＡ（Single Carrier Frequency Division Multiple Access）がそれぞれ適用される。
【００４９】
図５に示すように、無線フレームは、時間方向に並ぶ１０個のサブフレームで構成され、各サブフレームは、時間方向に並ぶ２個のスロットで構成される。各サブフレームの長さはｌｍｓｅｃであり、各スロットの長さは０．５ｍｓｅｃである。各サブフレームは、周波数方向に複数個のリソースブロック（ＲＢ）を含み、時間方向に複数個のシンボルを含む。リソースブロックは、周波数方向に複数個のサブキャリアを含む。１つのサブキャリアおよび１つのシンボルによって構成される無線リソース単位は、リソースエレメント（ＲＥ）と称される。
【００５０】
ＵＥ１００に割当てられる無線リソースのうち、周波数リソースはリソースブロックにより特定でき、時間リソースはサブフレーム（またはスロット）により特定できる。
【００５１】
下りリンクにおいて、各サブフレームの先頭数シンボルの区間は、主に制御信号を伝送するための物理下りリンク制御チャネル（ＰＤＣＣＨ）として使用される制御領域である。また、各サブフレームの残りの区間は、主にユーザデータを伝送するための物理下りリンク共有チャネル（ＰＤＳＣＨ）として使用できる領域である。
【００５２】
ＰＤＣＣＨは、制御信号を搬送する。制御信号は、例えば、上りリンクＳＩ（Scheduling Information）、下りリンクＳＩ、ＴＰＣビットを含む。上りリンクＳＩは上りリンク無線リソースの割当てを示す情報であり、下りリンクＳＩは、下りリンク無線リソースの割当てを示す情報である。ＴＰＣビットは、上りリンクの送信電力の増減を指示する情報である。これらの情報は、下りリンク制御情報（ＤＣＩ）と称される。
【００５３】
ＰＤＳＣＨは、制御信号および／またはユーザデータを搬送する。例えば、下りリンクのデータ領域は、ユーザデータにのみ割当てられても良く、ユーザデータおよび制御信号が多重されるように割当てられても良い。
【００５４】
また、下りリンクにおいて、各サブフレームには、セル固有参照信号（ＣＲＳ）およびチャネル情報参照信号（ＣＳＩ−ＲＳ）が分散して設けられる。ＣＲＳおよびＣＳＩ−ＲＳのそれぞれは、所定の直交信号系列により構成される。ｅＮＢ２００は、複数のアンテナ２０１のそれぞれからＣＲＳおよびＣＳＩ−ＲＳを送信する。
【００５５】
上りリンクにおいて、各サブフレームにおける周波数方向の両端部は、主に制御信号を伝送するための物理上りリンク制御チャネル（ＰＵＣＣＨ）として使用される制御領域である。また、各サブフレームにおける周波数方向の中央部は、主にユーザデータを伝送するための物理上りリンク共有チャネル（ＰＵＳＣＨ）として使用できる領域である。
【００５６】
ＰＵＣＣＨは、制御信号を搬送する。制御信号は、例えば、ＣＱＩ（Channel Quality Indicator）、ＰＭＩ（Precoding Matrix Indicator）、ＲＩ（Rank Indicator）、ＳＲ（Scheduling Request）、ＡＣＫ／ＮＡＣＫなどである。
【００５７】
ＣＱＩは、下りリンクのチャネル品質を示すインデックスであり、下りリンク伝送に使用すべき推奨変調方式および符号化率の決定等に使用される。ＰＭＩは、下りリンクの伝送のために使用することが望ましいプレコーダマトリックスを示すインデックスである。ＲＩは、下りリンクの伝送に使用可能なレイヤ数（ストリーム数）を示すインデックスである。ＳＲは、上りリンク無線リソース（リソースブロック）の割当てを要求する情報である。ＡＣＫ／ＮＡＣＫは、下りリンクの物理チャネル（例えばＰＤＳＣＨ）を介して送信される信号の復号に成功したか否かを示す情報である。
【００５８】
ＣＱＩ、ＰＭＩおよびＲＩは、ＵＥ１００が下り参照信号（ＣＲＳおよび／またはＣＳＩ−ＲＳ）を利用してチャネル推定を行い、得られたチャネル情報（ＣＳＩ：Channel State Information）に相当する。
【００５９】
ＰＵＳＣＨは、制御信号および／またはユーザデータを搬送する。例えば、上りリンクのデータ領域は、ユーザデータにのみ割当てられても良く、ユーザデータおよび制御信号が多重されるように割当てられても良い。
【００６０】
また、上りリンクにおいて、各サブフレームの所定のシンボルには、サウンディング参照信号（ＳＲＳ）および復調参照信号（ＤＭＲＳ）が設けられる。ＳＲＳおよびＤＭＲＳのそれぞれは、所定の直交信号系列により構成される。
【００６１】
以上、図１〜図５を用いて説明したＬＴＥへの適用を例として、以下、実施の形態について説明する。
【００６２】
＜実施の形態＞
ＵＥ１００は、測定したチャネル情報（ＣＳＩ）を、デジタル伝送方式によりｅＮＢ２００にフィードバックする。本実施の形態においては、ｅＮＢ２００が、ＵＥ１００からのＣＳＩのフィードバックに使用されるアップリンクのチャネルのチャネル品質を推定し、推定したチャネル品質に基づいて、ＵＥ１００においてＣＳＩを量子化する際に使われる量子化ビット数および量子化後のＣＳＩを送信する際のＭＣＳを動的に調節してＵＥ１００に通知する。
【００６３】
ＵＥ１００からのＣＳＩのフィードバックは、通常、物理上りリンク制御チャネル（ＰＵＣＣＨ）または物理上りリンク共有チャネル（ＰＵＳＣＨ）を用いて行われるが、これらのチャネル品質を推定する。
【００６４】
図６は、本実施の形態におけるチャネル品質の推定値に基づく量子化ビット数およびＭＣＳの動的処理の制御動作を説明するフローチャートである。
【００６５】
図６に示されるように、ｅＮＢ２００は、ＣＳＩのフィードバックに使用されるアップリンクのチャネルのチャネル品質を推定する（ステップＳ１）。
【００６６】
チャネル品質は、ＳＩＮＲ（Signal to Interference plus Noise Ratio）またはＳＮＲ（signal to noise ratio）で定義され、ＰＵＣＣＨおよびＰＵＳＣＨのチャネル品質は、サウンディング参照信号（ＳＲＳ）および／または復調参照信号（ＤＭＲＳ）を用いて推定できる。なお、ＰＵＣＣＨに関しては、ｅＮＢ２００が自ら管理しているセルの混みあい状況からチャネル品質を補助的に推定することも考えられる。
【００６７】
ここで、本発明におけるＣＳＩとしては、チャネル行列、チャネル共分散行列等の「原始」の情報が考えられるが、本発明の効果を奏するのであれば、これらに限定されるものではない。図７には３行３列のチャネル行列の一例を示す。なお、チャネル行列中の各要素ａ１１〜ａ３３は複素数で表される。
【００６８】
次に、推定したチャネル品質に基づいて、ＵＥ１００においてＣＳＩを量子化する際に使われる量子化ビット数および量子化後のＣＳＩを送信する際のＭＣＳ（Modulation and Coding Scheme）を決定し、所定の記憶部、例えば図３に示したメモリ２３０に記憶する（ステップＳ２）。
【００６９】
ここで、量子化ビット数および量子化後のＣＳＩを送信する際のＭＣＳは、チャネル品質と量子化ビット数、チャネル品質とＭＣＳとの対応表を予め準備しておくことで、容易に決定することができる。
【００７０】
図８には、チャネル品質と量子化ビット数の対応表の一例を示しており、ここでは、チャネル品質をＳＩＮＲで定義した場合を示している。図８において、例えば、ＳＩＮＲが−１０ｄＢ未満の場合は量子化ビット数が２ビットに決定され、ＳＩＮＲが−１０ｄＢ以上、−５ｄＢ未満の場合は量子化ビット数が３ビットに決定されるように、チャネル品質の値（ここではＳＩＮＲの値）が大きくなり、チャネル状況が良くなると、量子化ビット数を大きくするように対応表が作成されている。
【００７１】
これは、チャネル品質が低い場合、すなわちノイズや干渉が多い場合には少ないビット数でＣＳＩを量子化し、フィードバック情報量を減らし、逆に、チャネル品質が高い場合には、高いビット数でＣＳＩを量子化することでＣＳＩの精度を高め、量子化誤差を低減することで、結果的に伝送性能を高めるためである。
【００７２】
図９には、チャネル品質とＭＣＳとの対応表の一例を示しており、ここでは、チャネル品質をＳＩＮＲで定義した場合を示している。図９において、例えば、ＳＩＮＲが−１０ｄＢ未満の場合は、変調方式がＢＰＳＫ（Binary Phase Shift Keying）で、コーディングレートが１／３に決定され、ＳＩＮＲが−１０ｄＢ以上、−５ｄＢ未満の場合は、変調方式がＢＰＳＫで、コーディングレートが２／３に決定される。このように、チャネル品質の値（ここではＳＩＮＲの値）が大きくなり、チャネル状況が良くなると、一度により多くの情報を送信できる変調方式およびコーディングレートが決定されるように対応表が作成されている。ここで言うコーディングレートとはターボ符号のコーディングレートを指すが、以下においてもターボ符号のコーディングレートを単にコーディングレートと呼称する。なお、ターボ符号以外のチャネルコーディング方法が用いられる場合では、利用されるコーディング方法の誤り訂正能力を動的に調整すれば良い。例えば、ＳＩＮＲが−１０ｄＢ未満の場合は、コーディングレートが１／３のターボ符号と同等の誤り訂正能力に調整し、ＳＩＮＲが−１０ｄＢ以上、−５ｄＢ未満の場合は、コーディングレートが２／３のターボ符号と同等の誤り訂正能力に調整すれば良い。
【００７３】
これは、チャネル品質が低い場合には少ないビット数でＣＳＩを量子化するので、オーバーヘッドは少なく、この場合の変調方式およびコーディングレートには、一度に多くの情報を送る能力は要求されないが、チャネル品質が高い場合には、高いビット数でＣＳＩを量子化するので、オーバーヘッドが多くなり、この場合の変調方式およびコーディングレートには、一度により多くの情報を送る能力が要求されるためである。
【００７４】
なお、図９においては、チャネル品質が高くなるにつれて、変調方式がＢＰＳＫからＱＰＳＫ（Quadrature Phase Shift Keying）に、ＱＰＳＫからＱＡＭ（Quadrature Amplitude Modulation）に変わり、ＱＡＭにおいても、チャネル品質が高くなるにつれて、１６ＱＡＭ、６４ＱＡＭ、２５６ＱＡＭのように変わる例を示している。なお、図８および図９に示した対応表は一例であり、これに限定されるものではない。
【００７５】
ここで、図６の説明に戻る。量子化ビット数および量子化後のＣＳＩを送信する際のＭＣＳを決定した後は、決定した量子化ビット数およびＭＣＳを所定の記憶部から読み出して、ＵＥ１００に通知する（ステップＳ３）。
【００７６】
この場合、決定した量子化ビット数およびＭＣＳをそれぞれＵＥ１００に通知しても良いが、例えば、図８、９に示したようなチャネル品質と量子化ビット数の対応表、およびチャネル品質とＭＣＳとの対応表である場合、量子化ビット数を通知するには４ビットのデータが必要であり、ＭＣＳを通知するには４ビットのデータが必要であり、合計８ビットのデータを送る必要があり、オーバーヘッドが増えることとなる。
【００７７】
そこで、量子化ビット数とＭＣＳとの組み合わせのパターンを予め設定し、当該組み合わせにごとにインデックス（「ジョイントインデックス」と呼称）を割り付け、量子化ビット数とＭＣＳとの組み合わせに対するインデックスの対応表（「ジョイントテーブル」と呼称）を予めＵＥ１００に記憶させておく。そして、ｅＮＢ２００で量子化ビット数およびＭＣＳを決定した後は、両者の組み合わせに対応するジョイントインデックスの情報をＵＥ１００に通知することで、オーバーヘッドを低減することができる。
【００７８】
図１０にはジョイントテーブルの一例を示しており、例えば、ジョイントインデックス０には、量子化ビット数が２ビット、変調方式がＢＰＳＫで、コーディングレートが１／３の組み合わせが対応している。
【００７９】
ＵＥ１００では、通知されたインデックス番号に基づいてジョイントテーブルを参照し、対応する量子化ビット数およびＭＣＳを取得する。
【００８０】
なお、１つの通信セッションの期間中に、最初に上記インデックスをＵＥ１００に通知した後は、次に通知する場合は、先のインデックスとの差分の情報だけを通知するようにしても良い。
【００８１】
例えば、１ビットの情報で、「０」の場合は先のインデックスよりも１段下げ、「１」の場合は先のインデックスよりも１段上げるなどの通知の仕方をしても良い。この情報量を２ビットにすれば、先のインデックスよりも２段下げる、２段上げるなどの通知も可能となる。
【００８２】
なお、量子化ビット数およびＭＣＳ（またはジョイントインデックス）の情報をＵＥ１００に送信するには、ＤＣＩ（Downlink Control Information）、ＭＣＥ（MAC Control Element）またはＲＲＣ（Radio Resource Control）シグナリング等を利用する。
【００８３】
ここで再び図６の説明に戻る。量子化ビット数およびＭＣＳ（またはジョイントインデックス）の情報を受信したＵＥ１００は、ｅＮＢ２００にＡＣＫ（肯定応答）信号を送信する（ステップＳ４）。
【００８４】
ｅＮＢ２００では、ＵＥ１００に量子化ビット数およびＭＣＳ（またはジョイントインデックス）の情報を通知した後は、ＡＣＫ信号の受信を所定期間待ち（ステップＳ５）、所定期間内にＡＣＫ信号を受信した場合はステップＳ８に進み、所定期間内にＡＣＫ信号を受信できなかった場合はタイムアウトして、再び、ＵＥ１００にステップＳ３の通知を行う。
【００８５】
一方、ＡＣＫ信号を送信したＵＥ１００は、ｅＮＢ２００から通知された量子化ビット数の情報に基づいてＣＳＩ情報を量子化し（ステップＳ６）、また、ＭＣＳの変調方式およびコーディングレートを用いて、量子化後のＣＳＩ情報をｅＮＢ２００にフィードバックする（ステップＳ７）。
【００８６】
量子化後のＣＳＩ情報を受けたｅＮＢ２００では、ステップＳ８において、所定の記憶部に記憶された量子化ビット数およびＭＣＳ（ＵＥ１００に通知したもの）に従ってＣＳＩを復調し、デコーディングする。なお、ｅＮＢ２００が記憶された量子化ビット数、ＭＣＳ、およびＵＥ１００が受信した量子化ビット数やＭＣＳは通信セッションが終了すると全てリセット（クリア）される。
【００８７】
そして、フィードバックされたＣＳＩに基づいてダウンリンク送信用のプリコーダを生成する（ステップＳ９）。
【００８８】
以上説明したように、ｅＮＢ２００が、ＵＥ１００からのＣＳＩのフィードバックに使用されるアップリンクのチャネルのチャネル品質を推定し、推定したチャネル品質に基づいて、ＵＥ１００においてＣＳＩを量子化する際に使われる量子化ビット数および量子化後のＣＳＩを送信する際のＭＣＳを動的に調節してＵＥ１００に通知するので、チャネル状況が良い場合にはＵＥ１００からフィードバックされるＣＳＩの精度が高くなり、伝送性能の向上が期待できる。
【００８９】
なお、以上の説明においては、ｅＮＢ２００が、ＵＥ１００からのＣＳＩのフィードバックに使用されるアップリンクのチャネルのチャネル品質を推定し、推定したチャネル品質に基づいて、ＵＥ１００においてＣＳＩを量子化する際に使われる量子化ビット数および量子化後のＣＳＩを送信する際のＭＣＳを動的に調節するものとして説明したが、量子化ビット数のみを動的に調節する構成とし、ＭＣＳはデフォルトで定めた変調方式-コーディングレート（例えば、ＱＰＳＫ−１／３）や、既存のＭＣＳの仕組み（ＰＵＳＣＨを利用してＣＳＩをフィードバックする場合）を利用しても良い。
【００９０】
なお、図６を用いて説明したチャネル品質の推定値に基づく量子化ビット数およびＭＣＳの動的処理の制御動作は、ｅＮＢ２００のプロセッサ２４０の制御部２４２による動作である。
【００９１】
＜変形例１＞
図６を用いて説明した量子化ビット数およびＭＣＳの動的処理では、ステップＳ５でＡＣＫ信号を受信できなかった場合は、タイムアウトを繰り返し、その回数に制限は設けられていない例を示したが、タイムアウトの回数に閾値を設け、閾値を超えると、量子化ビット数およびＭＣＳ（またはジョイントインデックス）の通知を中止する構成としても良い。
【００９２】
より具体的には、図６に示したフローチャートのステップＳ３とステップＳ５との間に、図１１に示すステップＳ１１、Ｓ１２およびＳ１３のステップを加えた構成としても良い。
【００９３】
図１１に示すように、ステップＳ３で量子化ビット数およびＭＣＳをＵＥ１００に通知した後、タイムアウトの回数が閾値を超えているか否かを判定する（ステップＳ１１）。
【００９４】
そして、タイムアウトの回数が閾値未満である場合は、ＵＥ１００からのＡＣＫ信号の受信を所定期間待ち（ステップＳ５）、所定期間内にＡＣＫ信号を受信できなかった場合はタイムアウトして、再び、ＵＥ１００にステップＳ３の通知を行うと共に、タイムアウトのカウントを１つ増やし、ステップＳ１１の判定を待つ（ステップＳ１２）。
【００９５】
一方、ステップＳ１１でタイムアウトの回数が閾値を超えていると判定された場合は、量子化ビット数およびＭＣＳの通知を中止する（ステップＳ１３）。
【００９６】
このような構成を採ることで、ＵＥ１００からのＡＣＫ信号を受信できない場合に、量子化ビット数およびＭＣＳの通知動作が無制限に繰り返されることを防止できる。なお、カウントされるタイムアウトの回数は通信セッションが終了するとリセットされる。
【００９７】
また、ｅＮＢ２００が上記構成を採る場合、ＵＥ１００では量子化ビット数およびＭＣＳの情報が受信できない場合が生じるが、その場合は、前回受信した量子化ビット数およびＭＣＳの情報があれば、それを利用し、前回受信した量子化ビット数およびＭＣＳの情報がない（現在のセッション中に１回も受信していない）場合は、デフォルトで定めた量子化ビット数（例えば、４ビット）を用いてＣＳＩ情報を量子化し、量子化後のＣＳＩ情報をデフォルトで定めた変調方式-コーディングレート（例えば、ＱＰＳＫ−１／３）でｅＮＢにフィードバックする構成とすれば良い。
【００９８】
より具体的には、図６に示したフローチャートのステップＳ６とステップＳ７に、図１２に示すステップＳ１６〜Ｓ１７を加えた構成とすれば良い。
【００９９】
図１２に示すように、ＵＥ１００では、量子化ビット数およびＭＣＳの情報を受信したか否かの判定を行い（ステップＳ１６）、量子化ビット数およびＭＣＳの情報を受信した場合には、量子化ビット数の情報に基づいてＣＳＩ情報を量子化し（ステップＳ６）、また、ＭＣＳの変調方式およびコーディングレートを用いて、量子化後のＣＳＩ情報をｅＮＢ２００にフィードバックする（ステップＳ７）。
【０１００】
一方、ステップＳ１６で量子化ビット数およびＭＣＳの情報を受信できていないと判定される場合は、ステップＳ１７において、前回受信した量子化ビット数およびＭＣＳの情報があるか否かを判定する。
【０１０１】
そして、前回受信した量子化ビット数およびＭＣＳの情報がある場合は、前回受信した量子化ビット数およびＭＣＳの情報を読み出して利用する（ステップＳ１８）。一方、ステップＳ１７において、前回受信した量子化ビット数およびＭＣＳの情報がない（現在のセッション中に１回も受信していない）と判定される場合は、デフォルトで定めた量子化ビット数およびＭＣＳの情報を読み出して利用する（ステップＳ１９）。
【０１０２】
その後は、ステップＳ６では、前回受信した量子化ビット数またはデフォルトで定めた量子化ビット数を用いてＣＳＩ情報を量子化し、ステップＳ７では、前回受信した変調方式およびコーディングレートまたはデフォルトで定めた変調方式およびコーディングレートを用いて、量子化後のＣＳＩ情報をｅＮＢ２００にフィードバックする。
【０１０３】
上記のように、ＵＥ１００が、前回受信した値やデフォルト値を用いた場合は、ｅＮＢ２００では、量子化後のＣＳＩの復調やデコーディングができない場合がある。これは、自らが送った量子化ビット数およびＭＣＳとは異なる、量子化ビット数およびＭＣＳでＣＳＩが処理されているためである。
【０１０４】
この場合、ｅＮＢ２００では、前回送った量子化ビット数およびＭＣＳで復調、デコーディングを試み、できなければ、デフォルトで定めた量子化ビット数およびＭＣＳでＣＳＩを復調しデコーディングする。
【０１０５】
なお、ＵＥ１００は、上記のようにデフォルト値や前回使用した値を用いた場合には、その旨をｅＮＢ２００に通知する構成としても良い。この場合は、ｅＮＢ２００でのＣＳＩの復調およびデコーディングの試行に費やす時間を短縮できる。
【０１０６】
＜変形例２＞
ＬＴＥの規格においては、ＵＥ１００からのＣＳＩのフィードバックを周期的に行う場合と、非周期的に行う場合とが規定されている。図６を用いて説明した量子化ビット数およびＭＣＳの動的処理は、ＣＳＩのフィードバックのタイミングになる度に実行すれば、周期および非周期の両方のＣＳＩのフィードバックに対応できるが、明確にするために、ＣＳＩのフィードバックが非周期的な場合について図１３を用いて説明する。
【０１０７】
すなわち、図１３に示すように、ｅＮＢ２００は、ステップＳ１で、ＣＳＩのフィードバックに使用されるアップリンクのチャネルのチャネル品質を推定する前に、ＵＥ１００に対してＣＳＩのフィードバックを要求する（ステップＳ０）。なお、チャネルの品質を推定した後にＣＳＩのIフィードバックを要求しても良い。また、ステップＳ１〜Ｓ９の処理は、図６と同じであるので説明は省略する。
【０１０８】
＜変形例３＞
チャネル品質の推定は、ＣＳＩのフィードバックの周期より長い周期で行っても良い。その場合はチャネル品質の推定が実行されるたびに、適当な周期または必要に応じて（チャネル品質に変化があったような場合）、量子化ビット数およびＭＣＳを動的に調整するようにしても良い。
【０１０９】
チャネル品質の変動の速さ（一定期間内の変化量）がＣＳＩのフィードバックの周期と比べて十分遅い環境下においては上記のような構成を採ることで、チャネル品質の推定に伴う処理負荷や、量子化ビット数およびＭＣＳの通知に伴うオーバーヘッドを削減できる。
【０１１０】
＜変形例４＞
チャネル品質の推定と、量子化ビット数およびＭＣＳの通知は、ＣＳＩのフィードバックの周期とは無関係に、一定の間隔で周期的に行っても良い。
【０１１１】
より具体的には、図６に示したフローチャートのステップＳ１〜Ｓ３の部分に、図１４に示すステップＳ２１およびＳ２２のステップを加えた構成とすれば良い。
【０１１２】
すなわち、図１４に示すように、ｅＮＢ２００は、ステップＳ１に先だって、ＣＳＩのフィードバックに使用されるアップリンクのチャネルのチャネル品質を推定する時間になったか否かを確認する（ステップＳ２１）。
【０１１３】
そして、当該時間に達した場合はステップＳ１の処理を実行し、当該時間に達していない場合は待機する。
【０１１４】
ステップＳ１でチャネル品質を推定した後は、当該推定値が、前回の推定値と同じか否かを判定する（ステップＳ２２）。
【０１１５】
そして、ステップＳ２２で前回の推定値と同じではないと判定された場合は、ステップＳ２の処理を行い、量子化ビット数およびＭＣＳをＵＥ１００に通知する（ステップＳ３）。また、この場合では、今回の推定値を記憶し、次回推定する際の比較対象とする。
【０１１６】
一方、ステップＳ２２で前回の推定値と同じと判定された場合は、量子化ビット数およびＭＣＳの通知は行わず、今回の推定値は記憶しない。すなわち、比較対象の前回推定値を更新しない。なお、ＵＥ１００は量子化ビット数およびＭＣＳの通知を受けることができないが、ＵＥ１００においては、図１２を用いて説明した構成を採用することで、前回のＣＳＩ情報の量子化で使用した量子化ビット数、または、１回も量子化ビット数等の情報を受信していない場合はデフォルトで定めた量子化ビット数を用いてＣＳＩ情報を量子化し、量子化後のＣＳＩ情報をｅＮＢ２００にフィードバックすることができる。
【０１１７】
ここで、ステップＳ２２における前回の推定値と同じか否かの判定は、例えば、前回の推定値との差が５％の範囲内にあれば同じと判定するなど、閾値を設けることで判定することができる。なお、当該閾値は、５％に限定されるものではなく、例えば、３％、１０％等としても良い。
【０１１８】
また、チャネル品質の推定間隔は、例えば、デフォルト値として、２０ｍｓｅｃを設定するが、この値に限定されるものではなく、変化の速いＵＥに対しては、１０ｍｓｅｃ、５ｍｓｅｃまたは２ｍｓｅｃに設定しても良い。
【０１１９】
このような構成を採ることで、時間と共に変動するチャネル状況に対応することができる。なお、記憶されたチャネル品質の推定値は通信セッションが終了するとリセットされる。
【０１２０】
なお、ｅＮＢ２００が、量子化ビット数およびＭＣＳの通知を一定の間隔で周期的に行う場合、ステップＳ２２で前回の推定値と同じと判定された場合は、量子化ビット数およびＭＣＳの通知は行わないので、ＵＥ１００では量子化ビット数およびＭＣＳの情報が受信できない場合が生じるが、その場合は、前回受信した量子化ビット数およびＭＣＳの情報があれば、それを利用し、前回受信した量子化ビット数およびＭＣＳの情報がない場合は、デフォルトで定めた量子化ビット数（例えば、４ビット）を用いてＣＳＩ情報を量子化し、量子化後のＣＳＩ情報をデフォルトで定めた変調方式-コーディングレート（例えば、ＱＰＳＫ−１／３）でｅＮＢにフィードバックする構成とすれば良い。その具体的な構成は図１２と同じであるので説明は省略する。
【０１２１】
また、以下に説明するように、チャネル品質の推定間隔をチャネル品質の変化の速さに従って動的に調整するようにしても良い。
【０１２２】
図１５はチャネル推定の間隔を動的に調整する方法を説明するフローチャートである。図１５に示すように、ｅＮＢ２００とＵＥ１００との間で通信セッションが開始されると、初期推定間隔として例えば２０ｍｓｅｃが設定される（ステップＳ４１）。
【０１２３】
そして、２０ｍｓｅｃ間隔でチャネル推定を繰り返し、その都度、新しい推定値とその前（前回）の推定値との差を算出し、両者の差が２０％を超えるか否かを判断する（ステップＳ４２）。そして、所定の期間内に２０％を超える場合が３回以上ある場合にはステップＳ４６に進み、そうでない場合にはステップＳ４３に進む。
【０１２４】
ここで、所定の期間内に２０％を超える場合が３回以上ある場合とは、現在設定されている推定間隔の例えば５倍時間内（５回の推定を行う時間内）に２０％を超えることが累積で３回以上ある場合を意味し、推定間隔が、例えば初期設定の２０ｍｓｅｃ間隔である場合は、その５倍の時間（１００ｍｓｅｃ）内で２０％を超えることが３回以上あったと言うことになる。
【０１２５】
ステップＳ４６に進んだ場合、すなわち、所定の期間内に２０％を超える場合が３回以上あった場合は、チャネル品質の大きな変化が頻繁に起きていると言うことができ、チャネル品質の変化の早さを確認するため、推定間隔を半分に変更する。
【０１２６】
続いて、ステップＳ４７に進んで、変更後の推定間隔が最短間隔より小さいか否かを判断し、変更後の推定間隔が最短間隔よりも小さいと判断される場合は、推定間隔を最短間隔に設定し（ステップＳ４８）、ステップＳ４５に進む。ここで、最短間隔とは、ＬＴＥ仕様で規定されるＣＳＩフィードバックの最短間隔時間のことであり、例えばＣＳＩフィードバックの最短期間が１サブフレームの場合は最短の推定間隔が１ｍｓｅｃとなる。
【０１２７】
一方、変更後の推定間隔が最短間隔以上と判断される場合は、変更後の推定間隔のままステップＳ４５に進む。
【０１２８】
ステップＳ４２からステップＳ４３に進んだ場合、すなわち、所定の期間内に２０％を超える場合が３回に満たない場合は、ステップＳ４３において、所定の期間内に新しい推定値と前回の推定値との差が５％未満となる場合が３回以上あるか否かを判断する。これは、新しい推定値と前回の推定値との差が２０％を超えるような大きな変化ではなく、チャネル品質があまり変化していないことを確認するための動作である。
【０１２９】
ここでの所定の期間は２０％を超えるか否かを判定する場合の所定期間と同じである。すなわち、同じ所定期間内に、新しい推定値と前回の推定値との差が２０％を超える場合と５％未満となる場合の両方について判断を行うことになる。
【０１３０】
そして、所定の期間内に５％未満となる場合が３回以上ある場合にはステップＳ４４に進み、そうでない場合にはステップＳ４５に進む。
【０１３１】
ステップＳ４４に進んだ場合、すなわち、所定の期間内に５％未満となる場合が３回以上あった場合は、チャネル品質の変化が頻繁に起きていないと言うことができ、チャネル品質の変化を頻繁に確認する必要がなく、推定間隔を２倍に変更し、ステップＳ４５に進む。
【０１３２】
ステップＳ４５では、現在進行中の通信セッションが終了したかを判断する。通信セッションが終了した場合はチャネル推定間隔の動的調整の制御も終了する。一方、通信セッションが終了していない場合はステップＳ４２以下の動作を繰り返すことになる。通信セッション終了すると、チャネル品質の推定値、及びカウントした回数をリセットする。
【０１３３】
なお、ステップＳ４２からステップＳ４３に進み、ステップＳ４３からステップＳ４５に進んだ場合、すなわち、推定間隔が所定期間内で変更がない場合は、記録した回数のカウント値の一番古い推定値に対応するものを捨てて、推定間隔の時間経過で得た新たな推定値に対応する回数を累積する。また、記録した回数のカウント値の全て、例えば５回分の全てを捨てて、記録をリセットし、再度、所定期間内で回数を記録するようにしても良い。
【０１３４】
なお、ステップＳ４４、ステップＳ４６が実行された場合、すなわち、推定間隔が所定期間内で変更された場合は（ステップＳ４７の判断によって、ステップＳ４８が実行される場合も含む）、回数のカウント値をリセットし、再度、所定期間内で回数を記録する。
【０１３５】
なお、上述した新しい推定値と前回の推定値との差（２０％、５％）は一例であり、２０％を１５％とし、５％を３％としても良いことは言うまでもない。
【０１３６】
また、所定の期間内に新しい推定値と前回の推定値との差が所定値を超える、または所定値未満となる回数（３回）についても一例であり、２回や５回に設定しても良いことは言うまでもない。
【０１３７】
なお、図１５を用いて説明したチャネル推定の間隔を動的に調整する動作は、ｅＮＢ２００のプロセッサ２４０の制御部２４２による動作である。
【０１３８】
この発明は詳細に説明されたが、上記した説明は、全ての局面において、例示であって、この発明がそれに限定されるものではない。例示されていない無数の変形例が、この発明の範囲から外れることなく想定され得るものと解される。
【０１３９】
なお、本発明は、その発明の範囲内において、実施の形態を適宜、変形、省略することが可能である。
【図１】
2015198810.tif 000003
【図２】
2015198810.tif 000004
【図３】
2015198810.tif 000005
【図４】
2015198810.tif 000006
【図５】
2015198810.tif 000007
【図６】
2015198810.tif 000008
【図７】
2015198810.tif 000009
【図８】
2015198810.tif 000010
【図９】
2015198810.tif 000011
【図１０】
2015198810.tif 000012
【図１１】
2015198810.tif 000013
【図１２】
2015198810.tif 000014
【図１３】
2015198810.tif 000015
【図１４】
2015198810.tif 000016
【図１５】
2015198810.tif 000017
【国際調査報告】
2015198810.tif 000018
2015198810.tif 000019
2015198810.tif 000020
2015198810.tif 000021